(57)【要約】【課題】  ロール紙とＺ折り紙のいずれか一方を選択して、容易に印刷機に供給することが可能な印刷用紙供給装置を提供すること。【解決手段】  ロール紙とＺ折り紙とを選択的に印刷機に供給するための印刷用紙供給装置であって、ロール紙の巻芯の内径より小さな外形を有する軸部１２と、軸部１２を回転駆動するためのギア１５と、ロール紙の巻芯に対して軸部１２を固定するための固定手段とを有するマンドリルと、マンドリルの固定手段により軸部１２に固定される円柱状の巻き取り部材２２と、Ｚ折り紙Ｓ２の両端に形成されたパンチ孔に係合する左右一対のピントラクターとを有するＺ折り紙用アタッチメントと、を備える。【選択図】        図４
2010052347.tif 000002
【特許請求の範囲】
【請求項１】
ロール紙とＺ折り紙とを選択的に印刷機に供給するための印刷用紙供給装置であって、
ロール紙の巻芯の内径より小さな外形を有する軸部と、駆動源と連結され前記軸部を回転駆動するための駆動伝達部と、ロール紙の巻芯に対して前記軸部を固定するための固定手段と、を有するマンドリルと、
前記マンドリルを回転可能に支持する支持部材と、
その軸芯に前記マンドリルの軸部を挿入可能な孔部が形成され、前記マンドリルの固定手段により前記軸部に固定される円柱状の巻き取り部材と、前記巻き取り部材の外周部に付設され、Ｚ折り紙の両端に形成されたパンチ孔に係合する左右一対のピントラクターと、を有するＺ折り紙用アタッチメントと、
を備えたことを特徴とする印刷用紙供給装置。
【請求項２】
請求項１に記載の印刷用紙供給装置において、
前記マンドリルの軸部は、その内部に中空部が形成された中空状の形状を有し、
前記マンドリルの固定手段は、前記軸部の外周に形成された貫通部に付設される固定ラバーと、前記軸部の中空部に圧縮空気を供給して前記固定ラバーを膨張させるための圧縮空気の取り入れ口とを備える印刷用紙供給装置。
【請求項３】
請求項１または請求項２に記載の印刷用紙供給装置において、
Ｚ折り紙を案内するガイドローラと、Ｚ折り紙を前記Ｚ折り紙用アタッチメントの外周部に押圧するための押さえローラとを備える印刷用紙供給装置。
【請求項４】
請求項１または請求項２に記載の印刷用紙供給装置において、
Ｚ折り紙を案内するガイドローラと、Ｚ折り紙を前記Ｚ折り紙用アタッチメントの外周部に押圧するための押さえローラとを軸支するとともに、供給すべきＺ折り紙を載置する載置部を備えたＺ折り紙供給ユニットを備える印刷用紙供給装置。
【発明の詳細な説明】
【技術分野】
【０００１】
この発明は、ロール紙とＺ折り紙とを選択的に印刷機に供給するための印刷用紙供給装置に関する。
【背景技術】
【０００２】
ウエブ印刷を行う印刷機においては、一般的に、長尺の印刷用紙を巻芯のまわりに巻回したロール紙が使用される。そして、このロール紙は、ロール紙を印刷機に供給するための専用の印刷用紙供給装置を使用して印刷機に供給される（特許文献１参照）。
【特許文献１】特開２００６−０６２８２７号公報
【発明の開示】
【発明が解決しようとする課題】
【０００３】
ところで、ウエブ印刷を行う印刷機は、フォーム印刷にも使用される。このフォーム印刷においては、予めフォーム枠等が印刷された長尺の印刷用紙を使用する場合がある。このような印刷用紙は、Ｚ字状に折り畳まれ箱詰めされたＺ折り紙である場合が多い。このようなＺ折り紙は、その両端に形成されたパンチ孔を利用して搬送する構成であることから、Ｚ折り紙を印刷機に供給するための専用の印刷用紙供給装置を使用しないと、印刷機に好適に供給することは不可能である。
【０００４】
このため、従来においては、ロール紙の印刷用とＺ折り紙の印刷用に、各々、別の印刷機を使用したり、ロール使用の印刷用紙供給装置とＺ折り紙用の印刷用紙供給装置とを切り換えて使用したりしていた。このため、印刷用紙供給装置の設置スペースが広くなり、また、その装置コストが高額になるばかりではなく、ロール紙とＺ折り紙の入れ替えに煩雑な作業を要した。
【０００５】
この発明は上記課題を解決するためになされたものであり、簡易な構成でありながら、ロール紙とＺ折り紙のいずれか一方を選択して、容易に印刷機に供給することが可能な印刷用紙供給装置を提供することを目的とする。
【課題を解決するための手段】
【０００６】
請求項１に記載の発明は、ロール紙とＺ折り紙とを選択的に印刷機に供給するための印刷用紙供給装置であって、ロール紙の巻芯の内径より小さな外形を有する軸部と、駆動源と連結され前記軸部を回転駆動するための駆動伝達部と、ロール紙の巻芯に対して前記軸部を固定するための固定手段と、を有するマンドリルと、前記マンドリルを回転可能に支持する支持部材と、その軸芯に前記マンドリルの軸部を挿入可能な孔部が形成され、前記マンドリルの固定手段により前記軸部に固定される円柱状の巻き取り部材と、前記巻き取り部材の外周部に付設され、Ｚ折り紙の両端に形成されたパンチ孔に係合する左右一対のピントラクターと、を有するＺ折り紙用アタッチメントとを備えたことを特徴とする。
【０００７】
請求項２に記載の発明は、請求項１に記載の発明において、前記マンドリルの軸部は、その内部に中空部が形成された中空状の形状を有し、前記マンドリルの固定手段は、前記軸部の外周に形成された貫通部に付設される固定ラバーと、前記軸部の中空部に圧縮空気を供給して前記固定ラバーを膨張させるための圧縮空気の取り入れ口とを備える。
【０００８】
請求項３に記載の発明は、請求項１または請求項２に記載の発明において、Ｚ折り紙を案内するガイドローラと、Ｚ折り紙を前記Ｚ折り紙用アタッチメントの外周部に押圧するための押さえローラとを備える。
【０００９】
請求項４に記載の発明は、請求項１または請求項２に記載の発明において、Ｚ折り紙を案内するガイドローラと、Ｚ折り紙を前記Ｚ折り紙用アタッチメントの外周部に押圧するための押さえローラとを軸支するとともに、供給すべきＺ折り紙を載置する載置部を備える。
【発明の効果】
【００１０】
請求項１に記載の発明によれば、簡易な構成でありながら、ロール紙とＺ折り紙のいずれか一方を選択して、容易に印刷機に供給することが可能となる。
【００１１】
請求項２に記載の発明によれば、マンドリルの軸部を容易にロール紙の巻芯またはＺ折り紙用アタッチメントの巻き取り部材に固定することが可能となる。
【００１２】
請求項３に記載の発明によれば、Ｚ折り紙を確実にＺ折り紙用アタッチメントに装着することが可能となる。
【００１３】
請求項４に記載の発明によれば、Ｚ折り紙の印刷機への供給工程を容易に実行することができ、また、Ｚ折り紙を確実にＺ折り紙用アタッチメントに装着することが可能となる。
【発明を実施するための最良の形態】
【００１４】
以下、この発明の実施の形態を図面に基づいて説明する。図１は、この発明に係る印刷用紙供給装置１により印刷機２に対してロール紙Ｓ１を供給する状態を示す説明図である。
【００１５】
この印刷用紙供給装置１は、図１に示す状態においては、長尺の印刷用紙を巻芯のまわりに巻回した状態で供給されるロール紙Ｓ１を印刷機２に対して供給している。ロール紙Ｓ１の巻芯には、マンドリル１１が挿入されて固定される。このマンドリル１１は、軸３１を中心に揺動する支持アーム３２に、回転可能に支持されている。このため、ロール状に巻かれたロール紙Ｓ１の供給または排出時に、それを昇降させることができる。マンドリル１１に付設された後述する駆動伝達ギア１５は、モータ３３と図示しない駆動伝達機構により連結されており、マンドリル１１はロール紙Ｓ１の軸芯とともに、このモータ３３の駆動を受けて回転する。
【００１６】
ロール紙Ｓ１は、一対のエンコーダつきニップローラ３６を通過した後、ガイドローラ３８、ダンサーローラ３７およびガイドローラ３９を介して印刷機２に供給される。ダンサーローラ３７の高さ位置は、センサ３５により検出されており、その高さ情報は制御部３４に入力される。制御部３４は、ダンサーローラ３７の高さ位置が一定となるように、モータ３３の回転速度を制御する。また、エンコーダつきニップローラ３６の回転速度の情報も、制御部３４に入力される。制御部３４は、このニップローラ３６の回転速度情報とモータ３３のモータ３３の回転数とを比較することで、ロール紙Ｓ１の残量を把握する。
【００１７】
図２は、マンドリル１１の斜視図である。
【００１８】
このマンドリル１１は、ロール紙Ｓ１の巻芯の内径より小さな外形を有する軸部１２と、この軸部１２の一端に付設された駆動伝達手段としてのギア１５とを備える。軸部１２はその内部に中空部が形成された中空状の形状を有する。そして、この軸部１２の外周には、中空部に連通する貫通部が形成されており、この貫通部には固定ラバー１３が付設されている。また、軸部１２の一端には、軸部１２の中空部に圧縮空気を供給して固定ラバー１３を膨張させるための圧縮空気の取り入れ口１４が配設されている。
【００１９】
ロール紙Ｓ１を印刷機２に供給するときには、このマンドリル１１の軸部１２をロール紙Ｓ１の巻芯に挿入する。そして、圧縮空気の取り入れ口１４から軸部１２の中空部に圧縮空気を供給することにより固定ラバー１３を膨張させた後、取り入れ口１４を閉鎖する。これにより、マンドリル１１の軸部１２をロール紙Ｓ１の巻芯に対して固定することが可能となる。なお、マンドリル１１の軸部１２をロール紙Ｓ１の巻芯から取り外すときには、圧縮空気の取り入れ口１４を開放して、圧縮空気を外部に排出させればよい。
【００２０】
次に、この印刷用紙供給装置１を利用して、印刷機２にＺ折り紙を供給する供給動作について説明する。図３は、この発明に係る印刷用紙供給装置１により印刷機２に対してＺ折り紙Ｓ２を供給する状態を示す説明図である。また、図４は、その要部を示す斜視図である。なお、上述した図１と同一の部材については、同一の符号を付して詳細な説明を省略する。
【００２１】
このように、印刷機２にＺ折り紙Ｓ２を供給するときには、マンドリル１１の外周部にＺ折り紙用アタッチメント２１を取り付けるとともに、このＺ折り紙用アタッチメント２１の外周部にＺ折り紙供給ユニット４１をセットする。
【００２２】
図５は、Ｚ折り紙用アタッチメント２１の斜視図である。
【００２３】
このＺ折り紙用アタッチメント２１には、その軸芯にマンドリル１１の軸部１２を挿入可能な孔部２５が形成され、マンドリル１１の固定ラバー１３により軸部１２に固定される円柱状の巻き取り部材２２を有する。この巻き取り部材２２の外周両端部には、Ｚ折り紙Ｓ２の両端に形成されたパンチ孔に係合する多数のピン２４が立設された左右一対のピントラクター２３が配設されている。なお、一対のピントラクター２３間の距離は、摺動機構を備えることにより、Ｚ折り紙Ｓ２の幅に対応して変更可能となっている。
【００２４】
図６は、Ｚ折り紙供給ユニット４１の斜視図である。
【００２５】
このＺ折り紙供給ユニット４１は、Ｚ折り紙Ｓ２を案内するためのガイドローラ４３と、Ｚ折り紙Ｓ２をＺ折り紙用アタッチメント２１における巻き取り部材２２の外周部に押圧するための押さえローラ４２と、ガイドローラ４３および押さえローラ４２を軸支する左右一対の側板４４とを備える。一対の側板４４の間には、印刷機２に供給すべきＺ折り紙Ｓ２を載置する載置部が形成される。
【００２６】
この印刷用紙供給装置１を利用して、印刷機２にＺ折り紙を供給するときには、最初に、マンドリル１１の外周部にＺ折り紙用アタッチメント２１を固定する。そして、Ｚ折り紙供給ユニット４１をＺ折り紙用アタッチメント２１の外周部に設置し、押さえローラ４２とＺ折り紙用アタッチメント２１の巻き取り部材２２とを当接させる。
【００２７】
この状態において、図４に示すように、Ｚ折り紙供給ユニット４１に載置されたＺ折り紙Ｓ２の先端を、ガイドローラ４３を介してＺ折り紙用アタッチメント２１の外周部に巻回するとともに、Ｚ折り紙アタッチメント２１における一対のピントラクター２３のピン２４を、Ｚ折り紙Ｓ２の両端に形成されたパンチ孔に係合させる。そして、Ｚ折り紙Ｓ２の先端を、一対のエンコーダつきニップローラ３６、ガイドローラ３８、ダンサーローラ３７およびガイドローラ３９を介して印刷機２に案内する。
【００２８】
しかる後、図１に示すロール紙Ｓ１の搬送時と同様に、マンドリル１１に付設された駆動伝達ギア１５をモータ３３の駆動により回転させる。これにより、Ｚ折り紙Ｓ２は、一対のエンコーダつきニップローラ３６を通過した後、ガイドローラ３８、ダンサーローラ３７およびガイドローラ３９を介して印刷機２に供給される。上述したロール紙Ｓ１の場合と同様、ダンサーローラ３７の高さ位置は、センサ３５により検出されており、その高さ情報は制御部３４に入力される。制御部３４は、ダンサーローラ３７の高さ位置が一定となるように、モータ３３の回転速度を制御する。
【００２９】
このとき、Ｚ折り紙Ｓ２は、ガイドローラ４３の作用によりＺ折り紙アタッチメント２１の外周面における広い部分に巻回されることになり、Ｚ折り紙Ｓ２の搬送性が向上する。そして、Ｚ折り紙Ｓ２は押さえローラ４２によりＺ折り紙アタッチメント２１の外周面に押圧されることから、Ｚ折り紙Ｓ２のパンチ孔がピントラクター２３のピン２４から外れることはない。
【００３０】
なお、上述した実施形態においては、Ｚ折り紙供給ユニット４１が、ガイドローラ４３と押さえローラ４２とを軸支し、また、印刷機２に供給すべきＺ折り紙Ｓ２を載置する載置部を備えている。このため、このＺ折り紙供給ユニット４１をＺ折り紙用アタッチメント２１の外周部に設置するだけで、Ｚ折り紙Ｓ２の印刷機２への供給を容易に実行することが可能となる。なお、このＺ折り紙供給ユニット４１に、Ｚ折り紙用アタッチメント２１を載置するための載置部をさらに設けてもよい。
【図面の簡単な説明】
【００３１】
【図１】この発明に係る印刷用紙供給装置１により印刷機２に対してロール紙Ｓ１を供給する状態を示す説明図である。
【図２】マンドリル１１の斜視図である。
【図３】この発明に係る印刷用紙供給装置１により印刷機２に対してＺ折り紙Ｓ２を供給する状態を示す説明図である。
【図４】図３の要部を示す斜視図である。
【図５】Ｚ折り紙用アタッチメント２１の斜視図である。
【図６】Ｚ折り紙供給ユニット４１の斜視図である。
【符号の説明】
【００３２】
１      印刷用紙供給装置
２      印刷機
１１    マンドリル
１２    軸部
１３    固定ラバー
１４    取り入れ口
１５    ギア
２１    Ｚ折り紙用アタッチメント
２２    巻き取り部材
２３    ピントラクター
２４    ピン
２５    孔部
３１    軸
３２    支持アーム
３３    モータ
３４    制御部
３５    センサ
３７    ダンサーローラ
４１    Ｚ折り紙供給ユニット
４２    押さえローラ
４３    ガイドローラ
４４    側板
Ｓ１    ロール紙
Ｓ２    Ｚ折り紙
【図１】
2010052347.tif 000003
【図２】
2010052347.tif 000004
【図３】
2010052347.tif 000005
【図４】
2010052347.tif 000006
【図５】
2010052347.tif 000007
【図６】
2010052347.tif 000008